(57)【特許請求の範囲】
【請求項１】
端末に対して通信ネットワークを介して接続されたサーバによって表示シンボルを調整する表示シンボル調整方法であって、
前記サーバは、動画コンテンツを実際に再生した時間である再生時間及び前記動画コンテンツの再生開始日時を含む前記端末における再生実績ログを記憶する再生実績ログ記憶部を備え、
前記方法は、
前記再生実績ログ記憶部に記憶された前記再生実績ログを用いて、前記動画コンテンツの動画の長さに対する前記端末での前記動画コンテンツの前記再生時間の割合に関する評価指数を計算するとともに、前記動画コンテンツの再生時に再生速度又は再生位置を変更する入力を前記端末が受け付けた場合に、変更された前記再生速度の増減の度合い、又は、変更された再生位置に応じて増減する値を用いて前記評価指数を変更する再生実績ログ集計ステップと、
前記端末に表示するウェブページでの前記動画コンテンツの一場面の画像を縮小画像にしたサムネイルとしてのシンボルの表示態様を、前記再生実績ログに含む前記動画コンテンツの最新の再生開始日時に応じて、より最新の再生開始日時が古いものについて、前記シンボルの色をより暗く変化させて表示するように調整し、さらに、前記再生実績ログ集計ステップで変更した前記評価指数に応じて、前記シンボルの表示態様を調整する表示シンボル調整ステップとを含み、
前記再生実績ログ集計ステップにおいて、前記再生速度を早送りする入力を前記端末が受け付けた回数を前記値として前記評価指数から減算することによって、前記評価指数を変更する、
表示シンボル調整方法。
【請求項２】
前記表示シンボル調整ステップにおいて、前記シンボルの表示態様を、前記シンボルの表示の大きさを変更するように調整する、
請求項１に記載の表示シンボル調整方法。
【請求項３】
前記再生実績ログ記憶部に記憶された前記再生実績ログを用いて、前記動画コンテンツの前記再生時間を、前記動画コンテンツごとに集計する再生実績ログ集計ステップを含み、
前記表示シンボル調整ステップにおいて、前記再生実績ログ集計ステップで集計した前記動画コンテンツの前記再生時間の合計時間の長さがより長い場合に、前記シンボルをより大きく表示するように前記シンボルの表示態様を調整する、
請求項２に記載の表示シンボル調整方法。
【請求項４】
前記再生実績ログ記憶部に記憶された前記再生実績ログを用いて、前記動画コンテンツの前記再生時間を、前記動画コンテンツごとに集計する再生実績ログ集計ステップを含み、
前記表示シンボル調整ステップにおいて、前記再生実績ログ集計ステップで集計した前記動画コンテンツの前記再生時間の合計時間の長さがより長いものから順番に、前記シンボルを、前記ウェブページの上方から下方にかつ左方から右方に向けて前記ウェブページに配置して、前記シンボルの表示態様を調整する、
請求項２又は請求項３に記載の表示シンボル調整方法。
【請求項５】
前記表示シンボル調整ステップにおいて、前記シンボルの表示態様を、前記シンボルの色を変更するように調整する、
請求項１から請求項４のいずれか１項に記載の表示シンボル調整方法。
【請求項６】
前記ウェブページに表示された前記シンボルに対応する選択を受け付けたことに応じて前記端末から送信された前記動画コンテンツの再生要求を受信する再生要求受信ステップと、
前記再生要求受信ステップにより受信した前記再生要求に応じて、前記動画コンテンツを再生可能に送信する動画コンテンツ送信ステップと、
前記動画コンテンツが再生されたことに応じて前記端末から送信された前記再生実績ログを取得する再生実績ログ取得ステップと、を含む、
請求項１から請求項５のいずれか１項に記載の表示シンボル調整方法。
【請求項７】
請求項１から請求項６のいずれか１項に記載の方法のステップをコンピュータに実行させるための表示シンボル調整プログラム。
【請求項８】
端末に対して通信ネットワークを介して接続された表示シンボル調整装置において、
動画コンテンツを実際に再生した時間である再生時間及び前記動画コンテンツの再生開始日時を含む前記端末における再生実績ログを記憶する再生実績ログ記憶部と、
前記再生実績ログ記憶部に記憶された前記再生実績ログを用いて、前記動画コンテンツの動画の長さに対する前記端末での前記動画コンテンツの前記再生時間の割合に関する評価指数を計算するとともに、前記動画コンテンツの再生時に再生速度又は再生位置を変更する入力を前記端末が受け付けた場合に、変更された前記再生速度の増減の度合い、又は、変更された再生位置に応じて増減する値を用いて前記評価指数を変更する再生実績ログ集計手段と、
前記端末に表示するウェブページでの前記動画コンテンツの一場面の画像を縮小画像にしたサムネイルとしてのシンボルの表示態様を、前記再生実績ログ記憶部に記憶された前記再生実績ログに含む前記動画コンテンツの最新の再生開始日時に応じて、より最新の再生開始日時が古いものについて、前記シンボルの色をより暗く変化させて表示するように調整し、さらに、前記再生実績ログ集計手段で変更した前記評価指数に応じて、前記シンボルの表示態様を調整する表示シンボル調整手段とを備え、
前記再生実績ログ集計手段は、前記再生速度を早送りする入力を前記端末が受け付けた回数を前記値として前記評価指数から減算することによって、前記評価指数を変更する、
表示シンボル調整装置。
【発明の詳細な説明】
【技術分野】
【０００１】
本発明は、ウェブページに表示される動画コンテンツを表すシンボルを調整する表示シンボル調整方法、プログラム及び装置に関する。
【背景技術】
【０００２】
従来、インターネットの飛躍的な普及に伴い、インターネット上に存在する動画コンテンツをダウンロードし、又はストリーミングして、ユーザが端末を用いて楽しむことが行われている。インターネット上には、今やユーザが投稿した動画コンテンツや、テレビ番組等を録画した動画コンテンツ等、様々な動画コンテンツが存在する。そのため、大量に存在する動画コンテンツの内容をユーザが確認することは、非常に煩雑な作業になっている。そこで、動画コンテンツの映像特徴量を用いて、ユーザの欲する映像がどのあたりに保存されているかを感覚的に判断して、熟練を要することなく容易に欲する映像を抽出及び再生する３Ｄブラウジング装置が開示されている（例えば、特許文献１）。
【特許文献１】特開２００１−２６５８１２号公報
【発明の開示】
【発明が解決しようとする課題】
【０００３】
特許文献１に記載の３Ｄブラウジング装置は、映像データに関する輝度やスペクトル等の物理的な特徴量と、人が映像を見て感じる感性的な特徴量とから、大量の映像データについて立体的に空間表示するものである。しかし、特許文献１に記載の３Ｄブラウジング装置は、例えばユーザが行った映像データに関する評価を感性的な特徴量をとして用いているため、ユーザは、映像データに関する評価を行うという煩雑な作業を行わなければならなかった。
【０００４】
また、インターネットに存在する話題性に富んだ動画コンテンツを見たいというユーザのニーズが存在する。これは、新しい情報がいち早く投稿され、多くの人に視聴可能になっているインターネットの特性を生かすことで、ユーザは、インターネットを利用して、魅力のある動画コンテンツを得ることが可能となる。
【０００５】
そこで、本発明は、ユーザに煩雑な作業を強いずに魅力のある動画コンテンツを表すシンボルの表示態様を調整する表示シンボル調整方法、プログラム及び装置を提供することを目的とする。
【課題を解決するための手段】
【０００６】
本発明者は、ユーザによる端末での動画コンテンツの再生実績を用いて、動画コンテンツを表すシンボルの表示態様を調整する仕組みを見出し、本発明を完成するに至った。本発明は、具体的には次のようなものを提供する。
【０００７】
（１）  端末に対して通信ネットワークを介して接続されたサーバが、
動画コンテンツを実際に再生した時間である再生時間を含む前記端末における再生実績ログを記憶する再生実績ログ記憶部を備え、
前記再生実績ログ記憶部に記憶された前記再生実績ログを、前記動画コンテンツごとに集計する再生実績ログ集計ステップと、
前記再生実績ログ集計ステップにより集計された集計結果に応じて、前記端末に表示するウェブページでの前記動画コンテンツを表すシンボルの表示態様を調整する表示シンボル調整ステップと、
を含む表示シンボル調整方法。
【０００８】
本発明のこのような構成によれば、端末に表示するウェブページ上の動画コンテンツを表すシンボルの表示形態を、端末でのユーザによる動画コンテンツの再生実績を用いて調整することができる。例えば、端末での再生時間が長い動画を表すシンボルほど、大きく表示することができる。よって、ユーザは、ウェブページを一見しただけで、魅力のある動画コンテンツを認識して、選択することができる。
【０００９】
（２）  前記サーバが、
前記ウェブページに表示された前記シンボルに対応する選択を受け付けたことに応じて前記端末から送信された前記動画コンテンツの再生要求を受信する再生要求受信ステップと、
前記再生要求受信ステップにより受信した前記再生要求に応じて、前記動画コンテンツを再生可能に送信する動画コンテンツ送信ステップと、
前記動画コンテンツが再生されたことに応じて前記端末から送信された前記再生実績ログを取得する再生実績ログ取得ステップと、を含む、
（１）に記載の表示シンボル調整方法。
【００１０】
本発明のこのような構成によれば、ユーザによるシンボルに対応する選択を受け付けたことに応じて、シンボルに対応する動画コンテンツを端末に対して再生可能に送信することができる。また、端末で動画コンテンツの再生がされたことで、端末から送信された再生実績ログを取得することができる。よって、例えばユーザが端末に表示された動画コンテンツを表すシンボルを選択することで、端末に動画コンテンツを送信し、端末から再生実績のログを受信し、シンボルの表示態様を調整して、調整後のシンボルを端末に表示させることができる。
【００１１】
（３）  前記再生実績ログ集計ステップにおいて、前記動画コンテンツの動画の長さに対する前記端末での前記動画コンテンツの前記再生時間の割合に関する評価指数を計算し、
前記表示シンボル調整ステップにおいて、前記評価指数に応じて、前記シンボルの表示態様を調整する、
（１）又は（２）に記載の表示シンボル調整方法。
【００１２】
本発明のこのような構成によれば、シンボルの表示態様を、動画コンテンツの動画の長さに対する端末での再生時間の割合を用いて調整するので、動画コンテンツの長短に関係なく、実際の再生時間の割合に応じてシンボルの表示態様を調整することができる。
【００１３】
（４）  前記動画コンテンツの再生時に再生速度又は再生位置を変更する入力を前記端末が受け付けたことに応じて、前記再生実績ログ集計ステップにおいて計算された前記評価指数に変化を与える、
（３）に記載の表示シンボル調整方法。
【００１４】
本発明のこのような構成によれば、評価指数を、動画コンテンツの再生時に例えば早送りしたり、再生位置を変更することで変化させるので、端末での再生のされ方に応じて、シンボルの表示態様を調整することができる。
【００１５】
（５）  前記表示シンボル調整ステップにおいて、前記シンボルの表示態様を、前記シンボルの表示の大きさを変更するように調整する、
（１）から（４）のいずれか１項に記載の表示シンボル調整方法。
【００１６】
（６）  前記再生実績ログ集計ステップにおいて、前記動画コンテンツの前記再生時間を、前記動画コンテンツごとに集計し、
前記表示シンボル調整ステップにおいて、前記再生実績ログ集計ステップで集計した前記動画コンテンツの前記再生時間の合計時間の長さがより長い場合に、前記シンボルをより大きく表示するように前記シンボルの表示態様を調整する、
（５）に記載の表示シンボル調整方法。
【００１７】
本発明のこのような構成によれば、シンボルの表示態様を、シンボルの表示の大きさを変更するように調整するので、例えば、再生時間の長い動画コンテンツのシンボルを大きく表示することで、一見して、ユーザに多くの時間視聴されている動画コンテンツを把握することができる。
【００１８】
（７）  前記再生実績ログ集計ステップにおいて、前記動画コンテンツの前記再生時間を、前記動画コンテンツごとに集計し、
前記表示シンボル調整ステップにおいて、前記再生実績ログ集計ステップで集計した前記動画コンテンツの前記再生時間の合計時間の長さがより長いものから順番に、前記シンボルを、前記ウェブページの上方から下方にかつ左方から右方に向けて前記ウェブページに配置して、前記シンボルの表示態様を調整する、
（５）又は（６）に記載の表示シンボル調整方法。
【００１９】
本発明のこのような構成によれば、シンボルの配置を動画コンテンツの再生時間を合計した長さに応じて変更してウェブページの上方向かつ左方向から順番に表示するので、再生時間の長い動画コンテンツのシンボルを、より見つけやすい位置に配置できる。
【００２０】
（８）  前記表示シンボル調整ステップにおいて、前記シンボルの表示態様を、前記シンボルの色を変更するように調整する、
（１）から（７）のいずれか１項に記載の表示シンボル調整方法。
【００２１】
本発明のこのような構成によれば、シンボルの表示態様を、シンボルの色を変更するように調整するので、例えば、再生時間の長短に応じて動画コンテンツのシンボルの色を変更することで、一見して多くのユーザに視聴されている動画コンテンツを把握することができる。
【００２２】
（９）  前記表示シンボル調整ステップにおいて、前記再生実績ログに含む前記動画コンテンツの再生日時に応じて、より再生日時が古いものについて、前記シンボルの色をより変化させて表示するように前記シンボルの表示態様を調整する、
（８）に記載の表示シンボル調整方法。
【００２３】
本発明のこのような構成によれば、シンボルの表示態様を、動画コンテンツが再生された日時に応じてシンボルの色を変更するように調整するので、動画コンテンツの旬、つまり、動画コンテンツの再生時期を、シンボルの色で把握でき、一見して直近でユーザに視聴されている動画コンテンツを把握することができる。
【００２４】
（１０）  （１）から（９）のいずれか１項に記載の方法のステップをコンピュータに実行させるための表示シンボル調整プログラム。
【００２５】
（１１）  端末に対して通信ネットワークを介して接続された表示シンボル調整装置において、
動画コンテンツを実際に再生した時間である再生時間を含む前記端末における再生実績ログを記憶する再生実績ログ記憶部と、
前記再生実績ログ記憶部に記憶された前記再生実績ログを、前記動画コンテンツごとに集計する再生実績ログ集計手段と、
前記再生実績ログ集計手段により集計された集計結果に応じて、前記端末に表示するウェブページでの前記動画コンテンツを表すシンボルの表示態様を調整する表示シンボル調整手段と、
を備えた表示シンボル調整装置。
【発明の効果】
【００２６】
本発明によれば、端末に表示するウェブページでの動画コンテンツを表すシンボルの表示形態を、端末でのユーザによる動画コンテンツの再生実績を用いて調整することができる。
【発明を実施するための最良の形態】
【００２７】
以下、本発明を実施するための最良の形態について図を参照しながら説明する。なお、これはあくまでも一例であって、本発明の技術的範囲はこれに限られるものではない。
【００２８】
（第１実施形態）
［表示シンボル調整システムの全体構成及び表示シンボル調整装置の機能構成］
図１は、第１実施形態に係る表示シンボル調整システム１００の全体構成及び表示シンボル調整装置１の機能構成を示す図である。
【００２９】
表示シンボル調整システム１００は、表示シンボル調整装置１と、動画コンテンツサーバ２と、通信ネットワーク３と、端末５とにより構成される。図１に示すように、インターネット等の通信回線に代表される通信ネットワーク３を介して、表示シンボル調整装置１と、動画コンテンツサーバ２と、端末５とが互いに通信可能に接続されている。
【００３０】
表示シンボル調整装置１は、制御部１０と記憶部２０とを備える。制御部１０は、再生実績ログ集計手段１１と、表示シンボル調整手段１２と、動画コンテンツ再生要求受信手段１４と、動画コンテンツ再生手段１５と、再生実績ログ取得手段１６とを備える。また、記憶部２０は、再生実績ログデータベース（以下、データベースをＤＢともいう）２２と、動画ファイル情報ＤＢ２４と、表示シンボル設定ＤＢ２６とを備える。各ＤＢの内容については後述する。
【００３１】
表示シンボル調整装置１は、例えばサーバであり、ハードウェアの数に制限はなく、必要に応じて１又は複数のハードウェアで構成してよい。また、複数のハードウェアで構成する場合には、通信ネットワーク３を介して各ハードウェアを接続してもよい。例えば、後述する各機能ごとに別サーバ（装置）とし、各サーバ間での信号の送受信により、各サーバを連携させることで、第１実施形態の機能を実現してもよい。
【００３２】
再生実績ログ集計手段１１は、再生実績ログＤＢ２２に記憶された端末５での再生の実績の内容を含んだログデータ（再生実績ログ）を、動画ファイル（動画コンテンツ）ごとに集計する。表示シンボル調整手段１２は、ログデータの集計結果に応じて、端末５に表示するウェブページ上の動画ファイルを表すシンボルの表示態様を調整する。シンボルとは、例えば、動画ファイルの一場面の画像を縮小画像にしたサムネイルをいう。なお、動画ファイルの一部の場面とは、動画ファイルの開始時の場面であってもよいし、動画ファイルの作成者によって予め指定された場面であってもよい。また、表示態様とは、例えば、表示するシンボルの大きさや色、表示するシンボルの配置位置をいう。
【００３３】
動画コンテンツ再生要求受信手段１４は、端末５から動画ファイルの再生要求を受信する。動画コンテンツ再生手段１５は、受信した再生要求に対応する動画ファイルを、端末５で再生可能に送信する。この表示シンボル調整装置１が、記憶部２０に動画ファイルを有する構成であって、動画ファイルを直接端末５に送信してもよい。また、表示シンボル調整装置１が、再生要求に対応する該当の動画ファイルが格納された動画コンテンツサーバ２に対して、動画ファイルを端末５に送信するように依頼してもよい。再生実績ログ取得手段１６は、動画ファイルが再生された端末５から送信されたログデータを取得する。
【００３４】
動画コンテンツサーバ２は、表示シンボル調整装置１で表示態様を調整したシンボルに対応する動画ファイルを複数記憶した動画コンテンツのＤＢサーバである。
【００３５】
端末５は、ユーザが、コンテンツを再生するための操作入力をするためのキーボード、マウス等の入力部や、コンテンツを表示する表示画面３０（図４参照）を備えた、例えば、パーソナルコンピュータ（ＰＣ）である。端末５を用いて、ユーザは、動画ファイルを視聴することができる。
【００３６】
［表示シンボル調整装置１のハードウェア構成図］
図２は、第１実施形態に係る表示シンボル調整装置１のハードウェア構成を示す図である。本発明が実施されるサーバは標準的なものでよく、以下に構成の一例を示す。
【００３７】
表示シンボル調整装置１は、制御部１０を構成するＣＰＵ（Ｃｅｎｔｒａｌ  Ｐｒｏｃｅｓｓｉｎｇ  Ｕｎｉｔ）１０１０（マルチプロセッサ構成ではＣＰＵ１０１２等複数のＣＰＵが追加されてもよい）、バスライン１００５、通信Ｉ／Ｆ（Ｉ／Ｆ：インターフェイス）１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、表示装置１０２２、Ｉ／Ｏコントローラ１０７０、キーボード及びマウス等の入力装置１１００、ハードディスク１０７４、光ディスクドライブ１０７６、並びに半導体メモリ１０７８を備える。なお、ハードディスク１０７４、光ディスクドライブ１０７６、及び半導体メモリ１０７８はまとめて記憶部２０と呼ぶ。
【００３８】
制御部１０は、表示シンボル調整装置１を統括的に制御する部分であり、ハードディスク１０７４に記憶された各種プログラムを適宜読み出して実行することにより、上述したハードウェアと協働し、本発明に係る各種機能を実現している。
【００３９】
通信Ｉ／Ｆ１０４０は、表示シンボル調整装置１が、通信ネットワーク３（図１）を介して端末５（図１）と情報を送受信する場合のネットワーク・アダプタである。通信Ｉ／Ｆ１０４０は、モデム、ケーブル・モデム及びイーサネット（登録商標）・アダプタを含んでよい。
【００４０】
ＢＩＯＳ１０６０は、表示シンボル調整装置１の起動時にＣＰＵ１０１０が実行するブートプログラムや、表示シンボル調整装置１のハードウェアに依存するプログラム等を記録する。
【００４１】
表示装置１０２２は、ブラウン管表示装置（ＣＲＴ）、液晶表示装置（ＬＣＤ）等のディスプレイ装置を含む。
【００４２】
Ｉ／Ｏコントローラ１０７０には、ハードディスク１０７４、光ディスクドライブ１０７６、及び半導体メモリ１０７８等の記憶装置である記憶部２０を接続することができる。
【００４３】
入力装置１１００は、表示シンボル調整装置１の管理者による入力の受け付けを行うものである。
【００４４】
ハードディスク１０７４は、本ハードウェアを表示シンボル調整装置１として機能させるための各種プログラム、本発明の機能を実行するプログラム及び後述するＤＢのテーブル及びレコードを記憶する。なお、表示シンボル調整装置１は、外部に別途設けたハードディスク（図示せず）を外部記憶装置として利用することもできる。
【００４５】
光ディスクドライブ１０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１０７７を使用する。光ディスク１０７７から光ディスクドライブ１０７６によりプログラム又はデータを読み取り、Ｉ／Ｏコントローラ１０７０を介してメインメモリ１０５０又はハードディスク１０７４に提供することもできる。
【００４６】
なお、本発明でいうコンピュータとは、記憶装置、制御部等を備えた情報処理装置をいい、表示シンボル調整装置１は、記憶部２０、制御部１０等を備えた情報処理装置により構成され、この情報処理装置は、本発明のコンピュータの概念に含まれる。
【００４７】
［動画コンテンツサーバ２のハードウェア構成］
動画コンテンツサーバ２も、上述の表示シンボル調整装置１と同様な構成を持つ。なお、上述のように、動画コンテンツサーバ２のみならず、表示シンボル調整装置１にも動画ファイルを有していてよい。
【００４８】
［端末５のハードウェア構成］
端末５も、上述の表示シンボル調整装置１と同様な構成を持つ。また、上述の例ではいわゆるコンピュータで実現した例について説明したが、さらに、本発明の原理が適用可能である限り、携帯電話、ＰＤＡ（Ｐｅｒｓｏｎａｌ  Ｄａｔａ  Ａｓｓｉｓｔａｎｔ）等の様々な端末で実現してよい。
【００４９】
［メイン処理のフローチャート］
図３は、第１実施形態に係る表示シンボル調整装置１のメイン処理のフローチャートである。
【００５０】
Ｓ１：制御部１０は、端末５から動画ファイルのサムネイル（シンボル）を含むインデックスページ（ウェブページ）の要求を受信する。
【００５１】
Ｓ２：制御部１０は、後述するページ作成処理を行う。
【００５２】
Ｓ３：制御部１０は、ページ作成処理により作成されたインデックスページを端末５に送信する。
【００５３】
Ｓ４：制御部１０（動画コンテンツ再生要求受信手段１４）は、動画ファイルの再生要求を端末５から受信したか否かを判断する。動画ファイルの再生要求を受信した場合（Ｓ４：ＹＥＳ）には、制御部１０は、処理をＳ５に移す。他方、動画ファイルの再生要求を受信していない場合（Ｓ４：ＮＯ）には、制御部１０は、本処理を終了する。
【００５４】
Ｓ５：制御部１０（動画コンテンツ再生手段１５）は、端末５に対して要求のあった動画ファイルを再生可能に送信する。
【００５５】
Ｓ６：制御部１０（再生実績ログ取得手段１６）は、端末５から動画ファイルのログデータを受信する。
【００５６】
Ｓ７：制御部１０は、端末５から受信したログデータを、再生実績ログＤＢ２２に記憶する。その後、制御部１０は、本処理を終了する。
【００５７】
以上から、端末５からサムネイルの選択を受け付けたことに応じて、サムネイルに対応する動画ファイルを、端末５に対して再生可能に送信することができ、端末５で動画ファイルが再生されたことで、端末５から送信されたログデータを取得することができる。
【００５８】
［端末５での表示例］
次に、端末５の表示画面３０に表示されるインデックスページについて説明する。図４は、第１実施形態に係る端末５の表示画面３０での表示例を示す図である。これは、上述の図３のＳ３により、端末５が、表示画面３０に表示するインデックスページの一例である。
【００５９】
端末５の表示画面３０には、複数のサムネイル３２〜３６が配置されたインデックスページ３１が表示されている。インデックスページ３１は、複数の動画ファイルのサムネイルを表示するウェブページである。インデックスページ３１上にサムネイルを配置することで、多くの動画ファイルを表す画像を表示することができる。また、サムネイルは動画ファイルと比較してファイルサイズの小さい画像であるため、端末５においてインデックスページ３１が表示されるまでの時間を短縮することができる。
【００６０】
図４の例では、大きさの異なる５つのサムネイル３２〜３６が表示されている。サムネイルの大きさは、サムネイルに対応する動画ファイルの端末５での再生時間の合計時間の長さに比例している。図４では、サムネイル３３が最も長時間再生されたものであり、サムネイル３５が最も短い時間再生されたものであることを、ユーザは一見して把握できる。
【００６１】
［再生実績ログＤＢ２２及び動画ファイル情報ＤＢ２４］
図５は、第１実施形態に係る記憶部２０に格納される再生実績ログＤＢ２２及び動画ファイル情報ＤＢ２４を示す図である。再生実績ログＤＢ２２は、上述の図３のＳ７において、制御部１０が端末５から受信したログデータを蓄積したデータベースである。また、動画ファイル情報ＤＢ２４は、上述の図３のＳ５で送信する動画ファイルに関する情報を記憶したデータベースである。
【００６２】
図５（ａ）に一例を示す再生実績ログＤＢ２２は、ログＩＤ２２ａをキー情報として、端末５から受信した、端末５において再生した際のログデータを蓄積して記憶する。
【００６３】
再生実績ログＤＢ２２は、ログＩＤ２２ａと、動画ファイルＩＤ２２ｂと、再生時間２２ｃと、再生開始日時２２ｄとを有する。ログＩＤ２２ａには、ログデータを一意に示す記号が格納される。この記号は、表示シンボル調整装置１がログデータを端末５から受信して格納する順番に、制御部１０が番号を適宜付与してよい。動画ファイルＩＤ２２ｂには、動画ファイルを一意に示す記号が格納される。再生時間２２ｃには、端末５で当該動画ファイルを実際に再生した時間を格納する。再生開始日時２２ｄには、端末５において当該動画ファイルの再生を開始した日時を格納する。
【００６４】
図５（ｂ）に一例を示す動画ファイル情報ＤＢ２４は、動画ファイルＩＤ２４ａをキー情報として、端末５に表示するための動画ファイル自身及び動画ファイルのサムネイルの元データの情報を記憶する。
【００６５】
動画ファイル情報ＤＢ２４は、動画ファイルＩＤ２４ａと、動画データ２４ｂと、動画長２４ｃとを有する。動画ファイルＩＤ２４ａには、動画ファイルを一意に示す記号が格納される。動画データ２４ｂには、動画ファイルの格納位置及びデータ自体を格納する。図５（ｂ）に示す動画ファイルＩＤ２４ａが「ＸＸＸ」の場合のように、動画ファイルそのものを格納してもよいし、動画ファイルＩＤ２４ａが「ＹＹＹ」の場合のように、動画ファイルの格納場所を格納してもよい。動画長２４ｃには、動画ファイルの長さであり、全てを再生するのに要する時間を格納する。
【００６６】
［ページ作成処理のフローチャート１］
図６は、第１実施形態に係る表示シンボル調整装置１でのページ作成処理のフローチャートである。図６では、端末５でのコンテンツの再生時間の合計時間に基づき、サムネイルの表示の大きさを決定するものを説明する。再生時間の合計時間が長いほど、サムネイルの表示の大きさは大きいものになる。
【００６７】
Ｓ２１：制御部１０は、インデックスページを取得する。このインデックスページは、図４で説明したようなサムネイルが複数配置されたウェブページであり、例えば、表示シンボル調整装置１の記憶部２０に有していてもよいし、動画コンテンツサーバ２が有していてもよい。
【００６８】
Ｓ２２：制御部１０（再生実績ログ集計手段１１）は、再生実績ログＤＢ２２に記憶された再生実績ログから、動画ファイルごとに動画ファイルの再生時間を集計する。具体的には、図５（ａ）の再生実績ログＤＢ２２の動画ファイルＩＤ２２ｂをキーとして、再生時間２２ｃに格納された再生時間を合算する。
【００６９】
Ｓ２３：制御部１０（表示シンボル調整手段１２）は、集計した動画ファイルの再生時間の合計時間の長さに基づき、サムネイルの表示の大きさを決定する。
【００７０】
Ｓ２４：制御部１０（表示シンボル調整手段１２）は、取得したインデックスページのサムネイルの大きさを変更する。
【００７１】
［表示シンボル設定ＤＢ２６］
図７は、第１実施形態に係る記憶部２０に格納される表示シンボル設定ＤＢ２６を示す図である。表示シンボル設定ＤＢ２６は、上述の図６のＳ２３において、制御部１０（表示シンボル調整手段１２）が、集計した動画ファイルの再生時間の合計時間の長さから、表示するサムネイルの大きさを決定する際に用いるデータベースである。
【００７２】
表示シンボル設定ＤＢ２６は、表示シンボル値２６ａと、再生時間合計２６ｂとを有する。表示シンボル値２６ａには、サムネイルの大きさの基準値を格納する。また、再生時間合計２６ｂには、表示シンボル値を決定するための動画ファイルの再生時間の合計時間の範囲を格納する。例えば、ある動画ファイルの再生時間の合計時間が１５０時間の場合、再生時間合計２６ｂの「１００時間以上２００時間未満」に該当するため、対応する表示シンボル値２６ａは「４０ポイント」である。よって、この場合の動画ファイルのサムネイルは４０ポイントで表示する。
【００７３】
よって、端末５において再生時間が長いほど、再生時間の合計時間も長くなるので、再生された動画ファイルのサムネイルの表示が大きくなる。よって、ユーザに多くの時間視聴されている動画ファイルを、ユーザは、一見して把握することができる。
【００７４】
（第２実施形態）
第１実施形態では、再生時間の合計時間の長短に基づき、サムネイルの表示態様を調整するものを説明した。第２実施形態では、動画ファイルの長さに対する再生時間の割合に基づき、サムネイルの表示態様を調整するものである。また、サムネイルの表示態様の調整に加えて、ウェブページ上におけるサムネイルの配置位置を変更する。
【００７５】
なお、以降の説明において、上述した第１実施形態と同様の機能を果たす部分には、同一の符号又は末尾に同一の符号を付して、重複する説明を適宜省略する。
【００７６】
［表示シンボル設定ＤＢ２２６］
図８は、第２実施形態に係る記憶部２２０に格納される表示シンボル設定ＤＢ２２６を示す図である。
【００７７】
表示シンボル設定ＤＢ２２６は、表示シンボル値２２６ａと、評価指数２２６ｃとを有する。表示シンボル値２２６ａには、サムネイルの大きさの基準値を格納する。また、評価指数２２６ｃには、表示シンボル値を決定するための動画ファイルの再生時間の平均値と動画ファイルの長さとに基づき導き出した評価指数の範囲を格納する。例えば、ある動画ファイルの長さが１００秒で、端末５で実際に再生した時間の平均値が７０秒である場合であって、端末５で１００回再生されている場合には、評価指数は「７０／１００×１００＝７０」であり、評価指数２２６ｃの「５０以上１００未満」に該当するため、対応する表示シンボル値２６ａが「８０ポイント」である。よって、この場合の動画ファイルのサムネイルは８０ポイントで表示する。
【００７８】
［ページ作成処理のフローチャート２］
図９は、第２実施形態に係る表示シンボル調整装置２０１でのページ作成処理のフローチャートである。
【００７９】
Ｓ２２１：制御部１０（再生実績ログ集計手段１１）は、再生実績ログＤＢ２２に記憶された再生実績ログから、動画ファイルごとに動画ファイルの再生時間とログの数であるレコード数とを集計する。具体的には、図５（ａ）の再生実績ログＤＢ２２の動画ファイルＩＤ２２ｂをキーとして、再生時間２２ｃに格納された再生時間を合算し、レコード数をカウントする。
【００８０】
Ｓ２２２：制御部１０（再生実績ログ集計手段１１）は、再生時間の合計時間をログの数で除算して平均再生時間を算出し、動画ファイルの長さに対する平均再生時間の割合を計算して、さらにログの数を乗じた評価指数を算出する。
【００８１】
Ｓ２２３：制御部１０（表示シンボル調整手段１２）は、算出した評価指数に基づき、上述の図８に示す表示シンボル設定ＤＢ２２６を用いて、サムネイルの表示の大きさを決定する。
【００８２】
Ｓ２２４：制御部１０（表示シンボル調整手段１２）は、サムネイルの表示が大きい順に並べたインデックスページを作成する。
【００８３】
［端末５での表示例］
図１０は、第２実施形態に係る端末５の表示画面３０での表示例を示す図である。
【００８４】
端末５の表示画面３０には、複数のサムネイル４１〜４５が配置されたインデックスページ４０が表示されている。上述の図４と比較して、インデックスページ４０は、サムネイルの大きさの降順に上から下方向へ、及び左から右方向へ整列して表示されている。サムネイルの大きさは、サムネイルに対応する動画ファイルの評価指数に比例する。
【００８５】
以上により、サムネイルの表示態様を、動画ファイルの動画の長さに対する端末５での再生時間の割合に、ログの数を乗じた評価指数を用いることで、動画ファイル自体の長短に関係なく、実際の再生時間の割合及び実際の再生回数に応じて、サムネイルの表示態様を調整することができる。
【００８６】
また、サムネイルの配置を、サムネイルの大きさの大きいものから順番に、インデックスページの上方向かつ左方向から表示するので、ユーザに魅力のある動画ファイルを、より見つけやすくすることができる。
【００８７】
［端末５での表示例２］
図１１は、第２実施形態に係る端末５の表示画面３０での表示例を示す図である。この図には、表示画面３０に、図１０においてサムネイル４２が選択された後に、表示されるサムネイル４２に対応する動画が示されている。
【００８８】
端末５の表示画面３０には、コンテンツプレーヤ７０が表示され、その中央のコンテンツ表示部７５に動画が表示される。また、コンテンツ表示部７５の下方には、ステータスバー７１と、その一部に再生位置表示部７２とが表示されている。ステータスバー７１は、動画全体の長さを、再生位置表示部７２は、動画全体の長さに対する現在の再生位置をそれぞれ示す。再生位置表示部７２は、動画ファイルが再生されている間は、一定の速さでステータスバー７１上を左から右へ移動する。ステータスバー７１の下の左方には、各種のボタンが並んだボタン部７３が配置されている。
【００８９】
ボタン部７３の一番右方には、早送りボタン７４が配置されている。ユーザが、端末５の操作により早送りボタン７４を選択することで、動画の再生速度が倍速になったり、３倍速になったりする。また、再生位置表示部７２を選択して、ドラッグ＆ドロップすることで、動画の再生位置を、任意の再生位置に変更できる。このような端末５での選択入力を、表示シンボル調整装置２０１が受信することで、動画ファイルの評価指数を変更する。例えば、評価指数を、早送りボタン７４を選択した回数分減算したり、再生位置を右に動かして変更することで１減算し、左に動かして変更することで１加算したりする。
【００９０】
以上により、評価指数を、端末５での再生のされ方により変更することができるので、端末５での再生のされ方に応じて、サムネイルの表示態様を調整することができる。
【００９１】
（第３実施形態）
第３実施形態では、再生日時に基づきサムネイルの表示態様を調整するものを説明する。
【００９２】
［表示シンボル設定ＤＢ３２６］
図１２は、第３実施形態に係る記憶部３２０に格納される表示シンボル設定ＤＢ３２６を示す図である。
【００９３】
表示シンボル設定ＤＢ３２６は、表示シンボル着色３２６ｄと、最終再生日３２６ｅとを有する。表示シンボル着色３２６ｄには、表示するシンボルに対する着色の度合いを格納する。最終再生日３２６ｅには、表示シンボルの着色の基準となる動画ファイルの最終再生日の範囲を格納する。例えば、ある動画ファイルが端末５で最後に再生されたのが、５日前である場合は、最終再生日３２６ｅが「４日以上前」に該当するため、対応する表示シンボル着色３２６ｄが「暗色度合い３０％」である。よって、この場合の動画ファイルのサムネイルは３０％の暗色を付して表示する。
【００９４】
［ページ作成処理のフローチャート３］
図１３は、第３実施形態に係る表示シンボル調整装置３０１でのページ作成処理のフローチャートである。
【００９５】
Ｓ３２１：制御部１０は、インデックスページを取得する。
【００９６】
Ｓ３２２：制御部１０（再生実績ログ集計手段１１）は、再生実績ログＤＢ２２に記憶された再生実績ログから、動画ファイルごとに端末５で直近に再生された動画ファイルの再生開始日時を再生実績ログから取得する。具体的には、図５（ａ）の再生実績ログＤＢ２２の動画ファイルＩＤ２２ｂをキーとして、再生開始日時２２ｄに格納された再生開始日時が最新のレコードを取得する。
【００９７】
Ｓ３２３：制御部１０は、本日日付を取得する。
【００９８】
Ｓ３２４：制御部１０（表示シンボル調整手段１２）は、取得した本日日付と、再生開始日時とから、サムネイルの表示の着色を決定する。
【００９９】
Ｓ３２５：制御部１０（表示シンボル調整手段１２）は、取得したインデックスページのサムネイルの着色を変更する。
【０１００】
［端末５での表示例］
図１４は、第３実施形態に係る端末５の表示画面３０での表示例を示す図である。
【０１０１】
端末５の表示画面３０には、複数のサムネイル５１〜５４が配置されたインデックスページ５０が表示されている。上述の図４と比較して、サムネイルに暗色がかかっているものがある。サムネイルの着色は、サムネイルに対応する動画ファイルの端末５での最終再生日に対応している。
【０１０２】
以上より、動画ファイルが再生された日時に応じてサムネイルの色を変更して表示することができるので、動画ファイルの再生時期を、サムネイルの色により把握することができる。よって、ユーザは、一見して直近でユーザに視聴されている動画ファイルを把握することができる。
【０１０３】
（第４実施形態）
第４実施形態では、再生時間及び再生日時に基づき、サムネイルの表示態様を調整するものを説明する。
【０１０４】
［端末５での表示例］
図１５は、第４実施形態に係る端末５の表示画面３０での表示例を示す図である。
【０１０５】
端末５の表示画面３０には、表示シンボル調整装置４０１により決定された複数のサムネイル６１〜６５が配置されたインデックスページ６０が表示されている。サムネイルの大きさは、上述の図４と同様である。また、サムネイルに対する着色は、上述の図１４と同様ある。サムネイルの大きさは、サムネイルに対応する動画ファイルの端末５での再生時間の合計時間の長さに比例している。また、サムネイルの着色は、サムネイルに対応する動画ファイルの端末５での最終再生日に対応している。
【０１０６】
このように、サムネイルを再生時間の長さに比例して大きく表示し、最終再生日付に応じてサムネイルに着色して表示するので、一見してユーザに多くの時間視聴されている動画コンテンツを把握することができると共に、直近でユーザに視聴されている動画コンテンツを把握することができる。
【０１０７】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【０１０８】
（変形形態）
第１、第２及び第４実施形態では、シンボルの大きさを、予め決められた複数の大きさから決定するものであったが、例えば、評価指数の値そのものをシンボルの大きさにしたり、最小及び最大のシンボルの大きさを決めておき、その間の範囲については再生時間（単位時間）そのものを使用したりしてもよい。
【０１０９】
第３及び第４実施形態では、動画コンテンツの再生時期により、シンボルの色を変更するものであったが、再生時間の長短に応じてシンボルの色を変更して表示してもよい。このようにすることで、ユーザは、一見して多くのユーザに視聴されている動画コンテンツを、シンボルの色により把握することができる。
【図面の簡単な説明】
【０１１０】
【図１】第１実施形態に係る表示シンボル調整システムの全体構成及び表示シンボル調整装置の機能構成を示す図である。
【図２】第１実施形態に係る表示シンボル調整装置のハードウェア構成を示す図である。
【図３】第１実施形態に係る表示シンボル調整装置のメイン処理のフローチャートである。
【図４】第１実施形態に係る端末の表示画面での表示例を示す図である。
【図５】第１実施形態に係る記憶部に格納される再生実績ログＤＢ及び動画ファイル情報ＤＢを示す図である。
【図６】第１実施形態に係る表示シンボル調整装置でのページ作成処理のフローチャートである。
【図７】第１実施形態に係る記憶部に格納される表示シンボル設定ＤＢを示す図である。
【図８】第２実施形態に係る記憶部に格納される表示シンボル設定ＤＢを示す図である。
【図９】第２実施形態に係る表示シンボル調整装置でのページ作成処理のフローチャートである。
【図１０】第２実施形態に係る端末の表示画面での表示例を示す図である。
【図１１】第２実施形態に係る端末の表示画面での表示例を示す図である。
【図１２】第３実施形態に係る記憶部に格納される表示シンボル設定ＤＢを示す図である。
【図１３】第３実施形態に係る表示シンボル調整装置でのページ作成処理のフローチャートである。
【図１４】第３実施形態に係る端末の表示画面での表示例を示す図である。
【図１５】第４実施形態に係る端末の表示画面での表示例を示す図である。
【符号の説明】
【０１１１】
１，２０１，３０１，４０１  表示シンボル調整装置
２      コンテンツサーバ
５      端末
１０    制御部
１１    再生実績ログ集計手段
１２    表示シンボル調整手段
１４    動画コンテンツ再生要求受信手段
１５    動画コンテンツ再生手段
１６    再生実績ログ取得手段
２０，２２０，３２０  記憶部
２２    再生実績ログＤＢ
２４    動画ファイル情報ＤＢ
２６，２２６，３２６  表示シンボル設定ＤＢ
１００  表示シンボル調整システム
【図１】
0005133142.tif 000002
【図２】
0005133142.tif 000003
【図３】
0005133142.tif 000004
【図４】
0005133142.tif 000005
【図５】
0005133142.tif 000006
【図６】
0005133142.tif 000007
【図７】
0005133142.tif 000008
【図８】
0005133142.tif 000009
【図９】
0005133142.tif 000010
【図１０】
0005133142.tif 000011
【図１１】
0005133142.tif 000012
【図１２】
0005133142.tif 000013
【図１３】
0005133142.tif 000014
【図１４】
0005133142.tif 000015
【図１５】
0005133142.tif 000016